(57)【要約】【課題】本発明は、距離に関連する距離関連情報を取得して、距離関連情報に基づいて所定の順位を設定することを可能とした施錠システムを提供することを目的とする。【解決手段】識別情報を含む信号を送信する送信部を有する識別情報送信機（１００）と、識別情報を受信する受信部（２３０）、識別情報送信機との距離に関連する距離関連情報を取得する距離関連情報取得部（２４０）、被施錠機器（３００）の複数の動作と所定の順位とを対応付けて記憶する記憶部（２２０）、識別情報を受信しない場合には被施錠機器の複数の動作を使用不可とし、識別情報を受信した場合には、距離関連情報と所定の順位とに基づいて被施錠機器の複数の動作を段階的に使用可能とする制御部（２１０）を有する施錠機器（２００）を有することを特徴とする。【選択図】図１
2007272362.tif 000002
【特許請求の範囲】
【請求項１】
施錠システムであって、
識別情報を含む信号を送信する送信部を有する識別情報送信機と、
前記識別情報を受信する受信部、
前記識別情報送信機との距離に関連する距離関連情報を取得する距離関連情報取得部、
被施錠機器の複数の動作と所定の順位とを対応付けて記憶する記憶部、及び、
前記識別情報を受信しない場合には前記被施錠機器の複数の動作を使用不可とし、前記識別情報を受信した場合には、前記距離関連情報と前記所定の順位とに基づいて前記被施錠機器の複数の動作を段階的に使用可能とする制御部、を有する施錠機器と、
を有することを特徴とする施錠システム。
【請求項２】
前記距離関連情報取得部は、前記識別情報送信機からの受信信号の受信強度に基づいて、前記距離関連情報を取得する、請求項１に記載の施錠システム。
【請求項３】
前記識別情報は、第１の識別情報及び第２の識別情報を含み、
前記距離関連情報取得部は、前記第１及び第２の識別情報の受信状態に基づいて、前記距離関連情報を取得する、請求項１に記載の施錠システム。
【請求項４】
前記施錠機器は、前記識別情報送信機から前記第１の識別情報を受信した場合に、受信確認情報を含む信号を送信するための送信部を更に有し、
前記識別情報送信機は、前記受信確認情報を受信するための受信部を更に有し、
前記識別情報送信機は、前記受信部が前記受信確認情報を受信した場合には、前記送信部から前記第２の識別情報を送信する、請求項３に記載の施錠システム。
【請求項５】
前記受信確認情報を含む信号の送信強度が、前記第１の識別情報を含む信号の送信強度より小さく設定されている、請求項４に記載の施錠システム。
【請求項６】
前記受信部は、第１のアンテナと第２のアンテナを有し、
前記距離関連情報取得部は、前記第１及び第２のアンテナの受信状態に基づいて、前記距離関連情報を取得する、請求項１に記載の施錠システム。
【請求項７】
施錠システムであって、
識別情報を含む信号を送信する送信部、を有する識別情報送信機と
前記識別情報を受信する第１受信部、
前記識別情報送信機との距離に関連する距離関連情報を取得する距離関連情報取得部、
携帯電話における複数の動作と所定の順位とを対応付けて記憶する記憶部、及び、
前記識別情報を受信しない場合には前記複数の動作を使用不可とし、前記識別情報を受信した場合には、前記距離関連情報と前記所定の順位とに基づいて前記複数の動作を段階的に使用可能とする制御部、
音声信号を受信する第２受信部、を有する携帯電話と、
を有することを特徴とする施錠システム。
【請求項８】
前記識別情報送信機は、腕に装着する腕装着部を有する、請求項７に記載の施錠システム。
【請求項９】
前記所定の順位は、セキュリティの重要度であり、
前記制御部は、前記距離関連情報に基づいてセキュリティの重要度を決定するとともに、決定されたセキュリティの重要度に応じて前記複数の動作を段階的に使用可能とする、請求項１〜８のいずれか１項に記載の施錠システム。
【発明の詳細な説明】
【技術分野】
【０００１】
本発明は、識別情報送信機と施錠機器を有する施錠システムに関する。
【背景技術】
【０００２】
ユーザがＰＣ（パーソナルコンピュータ）等を利用して、機密性の高い情報の入力や文書の作成を行っている場合、ユーザがＰＣを離れる時に、第３者にＰＣに記憶されたデータを勝手に見られたり、ダウンロードされたり、改ざんされたり、消去されたりすることを防ぐ必要性がある。
【０００３】
そこで、ユーザが携帯している発信機からＩＤ情報を送信し、ＰＣ側でＩＤ情報を受信して、予め登録されているものと一致した場合にはＰＣの利用を許可するようにしたセキュリティシステムが知られている（例えば、特許文献１、特許文献２）。
【０００４】
しかしながら、発信機からのＩＤ情報が到達する範囲内にユーザが存在するけれども、ＰＣの近傍にはユーザが居ない場合には、ＰＣのセキュリティが解除された状態が発生してしまうという不具合があった。例えば、ＰＣの裏側で配線接続等の作業を行っている間は、ＰＣが自由に他人に利用されてしまう状況が発生していた。
【０００５】
また、展示会等において、１人のオペレータが複数のＰＣを同時に稼動させて所定の表示動作を行っている場合に、オペレータのみが所定の入力動作を行いたい場合がある。しかしながら、オペレータにＩＤ情報を送信する発信機を持たせた場合には、特定のＰＣにのみＩＤ情報を送信することは不可能であり、オペレータの移動によって、所定のＰＣにのみ特別な動作を許可するといったことはできなかった。
【０００６】
【特許文献１】特開２０００−９９１８７号（第５−６頁、第２図）
【特許文献２】特開２００５−２７５８９７号（図１）
【発明の開示】
【発明が解決しようとする課題】
【０００７】
そこで、本発明は、上記の不具合を解消することを可能とした施錠システムを提供することを目的とする。
【０００８】
また、本発明は、距離に関連する距離関連情報を取得して、距離関連情報に基づいて施錠機能に差を持たせることを可能とした施錠システムを提供することを目的とする。
【０００９】
さらに、本発明は、距離に関連する距離関連情報を取得して、距離関連情報に基づいて所定の順位を設定することを可能とした施錠システムを提供することを目的とする。
【課題を解決するための手段】
【００１０】
上記課題を解決するために、本発明に係る施錠システムは、
識別情報を含む信号を送信する送信部を有する識別情報送信機と、
識別情報を受信する受信部、識別情報送信機との距離に関連する距離関連情報を取得する距離関連情報取得部、被施錠機器の複数の動作と所定の順位とを対応付けて記憶する記憶部、及び、識別情報を受信しない場合には被施錠機器の複数の動作を使用不可とし、識別情報を受信した場合には、距離関連情報と所定の順位とに基づいて被施錠機器の複数の動作を段階的に使用可能とする制御部を有する施錠機器と、を有することを特徴とする。
【００１１】
また、本発明に係る施錠システムでは、距離関連情報取得部は、識別情報送信機からの受信信号の受信強度に基づいて、距離関連情報を取得することが好ましい。
【００１２】
さらに、本発明に係る施錠システムでは、識別情報は、第１の識別情報及び第２の識別情報を含み、距離関連情報取得部は、第１及び第２の識別情報の受信状態に基づいて、距離関連情報を取得することが好ましい。
【００１３】
さらに、本発明に係る施錠システムでは、施錠機器は識別情報送信機から第１の識別情報を受信した場合に受信確認情報を含む信号を送信するための送信部を更に有し、識別情報送信機は受信確認情報を受信するための受信部を更に有し、識別情報送信機は受信部が前記受信確認情報を受信した場合には送信部から前記第２の識別情報を送信することが好ましい。
【００１４】
さらに、本発明に係る施錠システムでは、受信確認情報を含む信号の送信強度が、第１の識別情報を含む信号の送信強度より小さく設定されていることが好ましい。
【００１５】
さらに、本発明に係る施錠システムでは、受信部は、第１のアンテナと第２のアンテナを有し、距離関連情報取得部は、第１及び第２のアンテナの受信状態に基づいて、距離関連情報を取得することが好ましい。
【００１６】
本発明に係る施錠システムでは、識別情報を含む信号を送信する送信部、を有する識別情報送信機と
識別情報を受信する第１受信部、識別情報送信機との距離に関連する距離関連情報を取得する距離関連情報取得部、携帯電話における複数の動作と所定の順位とを対応付けて記憶する記憶部、及び、識別情報を受信しない場合には複数の動作を使用不可とし、識別情報を受信した場合には、距離関連情報と所定の順位とに基づいて複数の動作を段階的に使用可能とする制御部、音声信号を受信する第２受信部を有する携帯電話と、を有することを特徴とする。
【発明の効果】
【００１７】
本発明によれば、距離関連情報に基づいてセキュリティの重要度を決定し、決定されたセキュリティの重要度に応じて複数の動作を段階的に使用可能としたので、所定のＩＤコードを発信するタグ等と被施錠機器の近傍又は被施錠機器自体に配置されたベースとの距離に応じて、被施錠機器の機能の使用制限及び使用制限の解除を段階的に行うことが可能となった。
【発明を実施するための最良の形態】
【００１８】
以下図面を参照して、本発明に係る施錠システムについて説明する。
【００１９】
図１は、本発明に係る施錠システム１の概略構成を示した図である。
【００２０】
施錠システム１は、送信タグ１００、ベース２００及びＰＣ端末３００から構成される。
【００２１】
送信タグ１００は、ＣＰＵ等を含んで構成される第１制御部１１０、予め定められたＩＤコードを記憶する第１記憶部１２０、所定の時間間隔（例えば、２秒間隔）でＩＤコードを送信する送信部１３０、送信用のアンテナ１９０等から構成される。また、送信タグ１００は、ユーザが常時携帯することを前提としたバッチ型に構成されているが、首からぶら下げる名刺サイズのカードタイプ、腕時計型、携帯電話、ＰＤＡ、小型ＰＣ端末など既存の情報端末装置等であっても良く、そのサイズ、重さ、形態などは特に限定されるものではない。
【００２２】
ベース２００は、ＣＰＵ等を含んで構成される第２制御部２１０、予め定められたＩＤコードを記憶する第２記憶部２２０、送信タグ１００からのＩＤコードを受信するためのアンテナ２９０及び受信部２３０、受信信号の電波強度を検出して検出信号を第２制御部２１０へ送信するための電波強度検出部２４０、第２Ｉ／Ｏ２５０等から構成される。第２Ｉ／Ｏ２５０は、後述するＰＣ端末３００と接続するためのインタフェースであって、本例では、ＵＳＢインタフェースとして構成されているが、それに限定されるものではない。
【００２３】
ＰＣ端末３００は、ＣＰＵ等を含んで構成される第３制御部３１０、ＯＳ、各種アプリケーションソフトウエア、各種データ等を記憶するための第３記憶部３２０、キーボード及びマウス等を含む操作部３３０、液晶ディスプレイ等によって構成される表示部３４０、第３Ｉ／Ｏ３５０、システムバス３６０等から構成される。第３Ｉ／Ｏ３５０は、少なくとも、ベース２００の第２Ｉ／Ｏ２５０と接続するためのインタフェースを含んで構成されている。
【００２４】
図２は、送信タグ１００における処理フローを示した図である。
【００２５】
最初に、送信タグ１００の第１制御部１１０は、第１記憶部１２０に記憶されているＩＤコードを取得して送信部１３０からＩＤコードを含んだＩＤ信号を送信する（Ｓ１）。次に、第１制御部１１０は、所定時間（例えば、２秒）の計時を行い（Ｓ２）、再度Ｓ１の動作を行う。
【００２６】
即ち、送信タグ１００は、所定時間毎に、ＩＤコードを含んだＩＤ信号を繰り返し送信し続けることとなる。
【００２７】
図３は、ベース２００における処理フローを示した図である。
【００２８】
図３に示す処理フローが開始される時点で、ベース２００はＰＣ端末３００に接続され、ベース２００は、ＰＣ端末３００の表示部３４０の近傍（例えば、１０ｃｍ以内）に配置されているものとする。さらに、ＰＣ端末３００には、ベース２００からの制御信号に応じて、ＰＣ端末３００の機能の制限及び制限の解除を行うためのアプリケーションソフトウエアが第２記憶部３２０に予めインストールされ且つ起動されているものとする。
【００２９】
最初に、ベース２００の第２制御部２１０は、ＰＣ端末３００の表示部３４０及び操作部３３０をロックする第１制御信号を第２Ｉ／Ｏ２５０を介してＰＣ端末３００へ送信する（Ｓ１０）。ＰＣ端末３００の第３Ｉ／Ｏ３５０が、この第１制御信号を、ベース２００の第２Ｉ／Ｏ２５０から受信すると、ＰＣ端末３００の第２記憶部に記憶されているアプリケーションソフトウエアに基づいて、第３制御部３１０が、表示部３４０及び操作部３３０をロックする制御を行う。
【００３０】
表示部３４０をロックするとは、表示部３４０に何も表示されないか、又はロックしていることを示すスクリーンセーバーが表示された状態に維持することを言う。したがって、表示部３４０をロックした場合、ＰＣ端末３００で何れかのアプリケーションソフトウエアが動作していたとしても、ユーザはその状態を視認することができない。
【００３１】
また、操作部３３０をロックするとは、操作部３３０からの入力を制御部３１０が受け付けない状態に維持することを言う。したがって、操作部３３０をロックした場合、ユーザが操作部３３０を操作したとしても、何の情報をもＰＣ端末３００に入力することができない。
【００３２】
次に、第２制御部２１０は、受信部２３０が、受信したＩＤ信号からＩＤコードを取得し、第２記憶部２２０に予め記憶されている登録ＩＤコードとの比較を行い、受信したＩＤコードが登録ＩＤコードと一致するか否かの判断を行う（Ｓ１１）。
【００３３】
Ｓ１１において、受信したＩＤコードが登録ＩＤコードと一致しない場合には、第２制御部２１０は、ＰＣ端末３００の表示部３４０及び操作部３３０のロックを行うための第１制御信号を第２Ｉ／Ｏ２５０を介してＰＣ端末３００へ送信する（Ｓ１２）。ＰＣ端末３００の第３Ｉ／Ｏ３５０が、この第１制御信号を、ベース２００の第２Ｉ／Ｏ２５０から受信すると、ＰＣ端末３００の第２記憶部に記憶されているアプリケーションソフトウエアに基づいて、第３制御部３１０が、表示部３４０及び操作部３３０をロックする制御を行う。
【００３４】
Ｓ１１において、受信したＩＤコードが登録ＩＤコードと一致する場合には、次に、第２制御部２１０は、受信信号の電波強度信号を電波強度検出部２４０から取得し、予め記憶部２２０に記憶されている所定閾値と比較して、閾値以上であるか否かの判断を行う（Ｓ１３）。
【００３５】
Ｓ１３において、電波強度信号が閾値未満の場合（即ち、送信タグがベース２００の近傍に位置しない場合）には、第２制御部２１０は、ＰＣ端末３００の表示部３４０のロックを解除する第２制御信号を第２Ｉ／Ｏ２５０を介してＰＣ端末３００へ送信する（Ｓ１４）とともに、操作部３３０をロックする第３制御信号も、第２Ｉ／Ｏを介してＰＣ端末３００へ送信する（Ｓ１５）。ＰＣ端末３００の第３Ｉ／Ｏ３５０が、これらの第２、第３制御信号を、ベース２００の第２Ｉ／Ｏ２５０から受信すると、ＰＣ端末３００の第２記憶部に記憶されているアプリケーションソフトウエアに基づいて、第３制御部３１０が、表示部３４０を解除するとともに、操作部３３０をロックする制御を行う。その後、ベース２００の第２制御部２１０は、所定時間（例えば、２秒）の計時を行い（Ｓ１７）、再度Ｓ１１の動作を行う。
なお、第２制御信号と第３制御信号を一つの制御信号にし、この一つの信号に基づいて、ＰＣ端末３００が、表示部３４０のロックを解除するとともに、操作部３３０をロックするようにしても良い。
【００３６】
表示部３４０のロックを解除することによって、ＰＣ端末３００で何れかのアプリケーションソフトウエアが動作していた場合には、ユーザはその状態を視認することができる。
【００３７】
Ｓ１３において、電波強度信号が閾値以上の場合（即ち、送信タグがベース２００の近傍に位置する場合）には、第２制御部２１０は、ＰＣ端末３００の表示部３４０及び操作部３３０のロックを解除する第４制御信号を第２Ｉ／Ｏ２５０を介してＰＣ端末３００へ送信する（Ｓ１６）。ＰＣ端末３００の第３Ｉ／Ｏ３５０が、この第４制御信号を、ベース２００の第２Ｉ／Ｏ２５０から受信すると、ＰＣ端末３００の第２記憶部に記憶されているアプリケーションソフトウエアに基づいて、表示部３４０及び操作部３３０のロックを解除する制御を行う。その後、ベース２００の第２制御部は、所定時間（例えば、２秒）の計時を行い（Ｓ１７）、再度Ｓ１１の動作を行う。
【００３８】
図２及び図３に示す処理フローが実行されることによって、所定のＩＤコードを発信する送信タグ１００を携帯したユーザがベース２００の近傍に接近すると、表示部３４０及び操作部３３０の両方のロックが解除され、ＰＣ端末３００において通常の動作を行うことができるようになる。しかしながら、所定のＩＤコードを発信する送信タグ１００を携帯したユーザがベース２００から離れた位置にいる場合には、表示部３４０のロックのみが解除され、ＰＣ端末３００の表示部３４０の画面を視認することはできても操作部３３０を利用することができないことから、通常の作業をＰＣ端末３００において行うことはできない。さらに、所定のＩＤコードを発信する送信タグ１００を携帯したユーザがベース２００の受信範囲内に存在しない場合には、表示部３４０及び操作部３３０の両方がロックされ、ＰＣ端末３００を全く利用することができない状態に維持される。
【００３９】
このように、本例では、距離に関連する情報として電波強度信号を利用して、送信タグ１００がベース２００の近傍にあるか否かに応じて、ＰＣ端末３００において利用することができる機能を段階的に選択できるように構成している。即ち、所定のＩＤコードを発信する送信タグ１００がベース２００の近傍（例えば５０ｃｍ以内）に存在する場合には、所定の順位であるセキュリティの重要度が高い機能（例えば、操作部３３０の利用）の使用を許可し、所定のＩＤコードを発信する送信タグ１００がベース２００の受信範囲内には存在するが近傍には存在しない場合には、セキュリティの重要度が低い機能（例えば、表示部３４０の利用）の使用を許可するように設定した。したがって、図３に示すように、第２制御部２１０は、電波強度信号に基づいてセキュリティの重要度の高い（電波強度信号が閾値以上）、セキュリティの重要度が低い（電波強度信号が閾値未満）の決定を行い、決定されたセキュリティの重要度に応じて、段階的にＰＣ端末３００における機能の利用を許可するように、所定の制御信号をＰＣ端末３００へ送信する。
【００４０】
図４は、第２記憶部２２０に予め記憶されているＰＣ端末３００の機能とそのセキュリティの重要度との対応関係を示した図である。
【００４１】
図３の例では、第２制御部２１０は、ＰＣ端末３００の機能として、表示部３４０及び操作部３３０の利用について説明したが、図４に示すようなＰＣ端末３００の様々な機能についてセキュリティの重要度を設定し、それに応じてロックやロックの解除を行うようにすることができる。
【００４２】
さらに、図３の例では、第２制御部２１０は、電波強度信号が閾値以上か否かについて２段階のレベルで距離関連情報を取得したが、複数の閾値を設定し、複数の閾値に応じて、複数のセキュリティの重要度を設定することも可能である。
【００４３】
なお、施錠システム１において、ベース２００をＰＣ端末３００の一部として構成しても良い。
【００４４】
図５は、本発明に係る他の施錠システム２の概略構成を示した図である。
【００４５】
施錠システム２は、送信タグ１０２、ベース２０２及びＰＣ端末３００から構成される。
【００４６】
送信タグ１０２は、ＣＰＵ等を含んで構成される第１制御部１１０、予め定められたＩＤコードを記憶する第１記憶部１２０、所定の時間間隔（例えば、２秒間隔）でＩＤコード及び送受信中コードを送信する第１送受信部１３２、送受信用のアンテナ１９０等から構成される。なお、送受信用のアンテナ１９０の代わりに、送信専用のアンテナと受信専用のアンテナを別々に設けても良い。
【００４７】
ベース２０２は、ＣＰＵ等を含んで構成される第２制御部２１０、予め定められたＩＤコードを記憶する第２記憶部２２０、送信タグ１０２からのＩＤコード及び送受信中コードを受信し且つＩＤ受信中コードを送信するためのアンテナ２９０及び第２送受信部２３２、受信信号の電波強度を検出して検出信号を第２制御部２１０へ送信するための電波強度検出部２４０、第２Ｉ／Ｏ２５０等から構成される。第２Ｉ／Ｏ２５０は、ＰＣ端末３００と接続するためのインタフェースであって、本例では、ＵＳＢインタフェースとして構成されているが、それに限定されるものではない。また、アンテナ２９０は、ＩＤコードの受信と受信中コードの受信とを兼用する送受信アンテナとしたが、アンテナ２９０の代わりに、ＩＤコードを受信する受信専用アンテナと、受信中コードを送信する送信専用アンテナを別々に設けても良い。
【００４８】
ここで、特徴的な構成としては、ベース２０２の第２送受信部２３２がＩＤ受信中コードを含んだ信号を送信する送信強度が、送信タグ１０２の第１送受信部１３２のＩＤコードを含んだ信号を送信する送信強度よりも低く設定されていることである。即ち、送信タグ１０２が、ベース２０２の近傍（例えば、５０ｃｍ以内）に位置する場合のみ、送信タグ１０２において、ベース２０２からのＩＤ受信中コードを含んだ信号を受信可能に設定されている。なお、このような設定の代わりに、例えば、送信タグ１０２の第１送受信部１３２における受信機能を低下させるなどにより、送信タグ１０２の受信機能を低下させることも可能である。
【００４９】
ＰＣ端末３００は、図１に示すものと同一であるので、ここではその説明を省略する。
【００５０】
図６は、送信タグ１０２における処理フローを示した図である。
【００５１】
最初に、送信タグ１０２の第１制御部１１０は、ベース２０２から後述するＩＤ受信中コードを、第１送受信部１３２が受信しているか否かの判断を行う（Ｓ２０）。
【００５２】
Ｓ２０において、ＩＤ受信中コードを受信していない場合には、第１制御部１１０は、第１記憶部１２０に記憶されているＩＤコードを取得して、第１送受信部１３２からＩＤコードを含んだＩＤ信号を送信する（Ｓ２１）。次に、第１制御部１１０は、所定時間（例えば、２秒）の計時を行い（Ｓ２３）、再度Ｓ２０の動作を行う。
【００５３】
Ｓ２０において、ＩＤ受信中コードを受信している場合には、第１制御部１１０は、第１記憶部１２０に記憶されているＩＤコード及び第１記憶部１２０に記憶されている送受信中コードを取得して、第１送受信部１３２からＩＤコード及び送受信中コードを含んだ信号を送信する（Ｓ２２）。次に、第１制御部１１０は、所定時間（例えば、２秒）の計時を行い（Ｓ２３）、再度Ｓ２０の動作を行う。
【００５４】
即ち、送信タグ１０２は、ベース２０２からＩＤ受信中コードを受信していない場合には、所定時間毎に、ＩＤコードを含んだＩＤ信号を繰り返し送信し続け、ベース２０２からＩＤ受信中コードを受信している場合には、所定時間毎に、ＩＤコード及び送受信中コードを含んだ信号を繰り返し送信し続けることとなる。
【００５５】
図７は、ベース２０２とＰＣ端末３００における処理フローを示した図である。
【００５６】
図７に示す処理フローが開始される時点で、ベース２０２はＰＣ端末３００に接続され、ベース２０２は、ＰＣ端末３００の表示部３４０の近傍（例えば、１０ｃｍ以内）に配置されているものとする。さらに、ＰＣ端末３００には、ベース２０２からの制御信号に応じて、ＰＣ端末３００の機能の制限及び制限の解除を行うためのアプリケーションソフトウエアが第２記憶部３２０に予めインストールされ且つ起動されているものとする。
【００５７】
最初に、ベース２０２の第２制御部２１０は、所定の制御信号を第２Ｉ／Ｏ２５０を介してＰＣ端末３００へ送信し、ＰＣ端末３００の表示部３４０及び操作部３３０のロックを行う（Ｓ３０）。
【００５８】
次に、第２制御部２１０は、第２送受信部２３２が、受信したＩＤ信号からＩＤコードを取得し、第２記憶部２２０に予め記憶されている登録ＩＤコードとの比較を行い、受信したＩＤコードが登録ＩＤコードと一致するか否かの判断を行う（Ｓ３１）。
【００５９】
Ｓ３１において、受信したＩＤコードが登録ＩＤコードと一致しない場合には、第２制御部２１０は、所定の制御信号を第２Ｉ／Ｏ２５０を介してＰＣ端末３００へ送信し、ＰＣ端末３００の表示部３４０及び操作部３３０のロックを行う（Ｓ３２）。その後、第２制御部２１０は、所定時間（例えば、２秒）の計時を行い（Ｓ３８）、再度Ｓ３１の動作を行う。
【００６０】
Ｓ３１において、受信したＩＤコードが登録ＩＤコードと一致する場合には、次に、第２制御部２１０は、第２記憶部２２０に記憶されているＩＤ受信中コードを取得して、第２送受信部２３２からＩＤ受信中コードを含んだ信号を送信する（Ｓ３３）。
【００６１】
次に、第２制御部２１０は、第２送受信部２３２が送信タグ１０２から送受信中コードを受信しているか否かの判断を行う（Ｓ３４）。
【００６２】
Ｓ３４において、送受信中コードを受信していない場合、第２制御部２１０は、所定の制御信号を第２Ｉ／Ｏ２５０を介してＰＣ端末３００へ送信し、ＰＣ端末３００の表示部３４０のロックを解除し（Ｓ３５）及び操作部３３０のロックを行う（Ｓ３６）。その後、第２制御部２１０は、所定時間（例えば、２秒）の計時を行い（Ｓ３８）、再度Ｓ３１の動作を行う。
【００６３】
Ｓ３４において、送受信中コードを受信している場合、第２制御部２１０は、所定の制御信号を第２Ｉ／Ｏ２５０を介してＰＣ端末３００へ送信し、ＰＣ端末３００の表示部３４０及び操作部３３０のロックを解除する（Ｓ３７）。その後、第２制御部２１０は、所定時間（例えば、２秒）の計時を行い（Ｓ３８）、再度Ｓ３１の動作を行う。
【００６４】
図６及び図７に示す処理フローが実行されることによって、所定のＩＤコードを発信する送信タグ１０２を携帯したユーザがベース２００の近傍に接近すると、ベース２０２では送信タグ１０２からの送受信中コードを受信できるので、表示部３４０及び操作部３３０の両方のロックが解除され、ＰＣ端末３００において通常の動作を行うことができるようになる。しかしながら、所定のＩＤコードを発信する送信タグ１０２を携帯したユーザがベース２０２から離れた位置にいる場合には、ベース２０２では送信タグ１０２からのＩＤコードを受信できるが、送受信中コードは受信できないので、表示部３４０のロックのみが解除され、ＰＣ端末３００の表示部３４０の画面を視認することはできても操作部３３０を利用することができないことから、通常の作業をＰＣ端末３００において行うことはできない。さらに、所定のＩＤコードを発信する送信タグ１０２を携帯したユーザがベース２０２の受信範囲内に存在しない場合には、表示部３４０及び操作部３３０の両方がロックされ、ＰＣ端末３００を全く利用することができない状態に維持される。
【００６５】
このように、本例では、距離に関連する情報として、ＩＤ受信中コードを利用して、送信タグ１０２がベース２０２の近傍にあるか否かに応じて、ＰＣ端末３００において利用することができる機能を段階的に選択できるように構成している。即ち、送信タグ１０２がベース２０２の近傍（例えば５０ｃｍ以内）に存在する場合には、所定の順位であるセキュリティの重要度が高い機能（例えば、操作部３３０の利用）の使用を許可し、送信タグ１０２がベース２０２の受信範囲内には存在するが近傍には存在しない場合には、セキュリティの重要度が低い機能（例えば、表示部３４０の利用）の使用を許可するように設定した。したがって、図７に示すように、第２制御部２１０は、電波強度信号に基づいてセキュリティの重要度の高い（登録ＩＤコード及び送受信中コードの受信）、セキュリティの重要度が低い（登録ＩＤコードのみの受信）の決定を行い、決定されたセキュリティの重要度に応じて、段階的にＰＣ端末３００における機能の利用を許可するように、所定の制御信号をＰＣ端末３００へ送信する。
【００６６】
なお、施錠システム２において、ベース２０２をＰＣ端末３００の一部として構成しても良い。
【００６７】
図８は、本発明に係る更に他の施錠システム３の概略構成を示した図である。
【００６８】
施錠システム３は、送信タグ１００、ベース２００、ＰＣ端末３０２及び第２ベース４００から構成される。
【００６９】
送信タグ１００及びベース２００は、図１に示した構成と同様であるので、ここではその説明を省略する。
【００７０】
ＰＣ端末３０２は、ＣＰＵ等を含んで構成される第３制御部３１０、ＯＳ、各種アプリケーションソフトウエア、各種データ等を記憶するための第３記憶部３２０、キーボード及びマウス等を含む操作部３３０、液晶ディスプレイ等によって構成される表示部３４０、第３Ｉ／Ｏ３５０、システムバス３６０、第３ＬＡＮアダプタ３７０等から構成される。第３Ｉ／Ｏ３５０は、少なくとも、ベース２００の第２Ｉ／Ｏ２５０と接続するためのインタフェースを含んで構成されている。
【００７１】
第２ベース４００は、ＣＰＵ等を含んで構成される第４制御部４１０、送信タグ１００からのＩＤコードを受信するためのアンテナ４９０及び第４受信部４３０、第４ＬＡＮアダプタ４７０等から構成される。
【００７２】
ＰＣ端末３０２と第２ベース４００とは、ＬＡＮケーブル５００を介して、各種データの送受信が行えるように接続されているので、ベース２００の第２制御部２１０は、第２ベース４００において送信タグ１００からのＩＤコードを受信したとの情報をＰＣ端末３０２を介して取得することが可能である。
【００７３】
図９は、ベース２００、ＰＣ端末３０２及び第２ベース４００の配置例を示す図である。
【００７４】
所定の部屋５１０には、ＬＡＮケーブル５００は配線されており、ベース２００及びＰＣ端末３０２が机５２０の上に配置され、第２ベース４００が部屋５１０のドア５１１の近傍に配置されている。また、ＰＣ端末３０２のＵＳＢインタフェースにはベース２００が接続されている。また、図９には、ベース２００の受信可能範囲５３０及び第２ベース４００の受信可能範囲５４０を示した。
【００７５】
送信タグ１００を携帯するユーザが部屋５１０へドア５１１から入室すると、まずは第２ベース４００の受信可能範囲５４０に送信タグ１００が入り、さらにユーザがＰＣ端末３０２の近傍へ近づくとベース２００の受信可能範囲５３０へ入るように構成されている。即ち、第２ベース４００が送信タグからのＩＤコードを受信した場合には、所定のＩＤコードを発信する送信タグ１００はＰＣ端末３０２の遠方に位置しており、ベース２００が送信タグからのＩＤコードを受信した場合には、所定のＩＤコードを発信する送信タグ１００はＰＣ端末３０２の近傍に位置していることとなる。したがって、ベース２００及び第２ベース４００での受信状態を、送信タグ１００とＰＣ端末３０２との距離に関する情報として利用することができる。
【００７６】
施錠システム３における送信タグ１００における処理フローは、図２に示した処理フローと同一であるので、ここではその説明を省略する。
【００７７】
図１０は、施錠システム３におけるベース２００とＰＣ端末における処理フローを示した図である。
【００７８】
図１０に示す処理フローが開始される時点で、ベース２００はＰＣ端末３００に接続され、ベース２００は、ＰＣ端末３０２の表示部３４０の近傍（例えば、１０ｃｍ以内）に配置されているものとする。また、ＰＣ端末３０２と第２ベース４００は、ＬＡＮケーブル５００に接続されて、相互に各種データの送受信が行える状態に設定されているものとする。さらに、ＰＣ端末３０２には、ベース２００からの制御信号に応じて、ＰＣ端末３０２の機能の制限及び制限の解除を行うためのアプリケーションソフトウエアが第２記憶部３２０に予めインストールされ且つ起動されているものとする。
【００７９】
最初に、ベース２００の第２制御部２１０は、所定の制御信号を第２Ｉ／Ｏ２５０を介してＰＣ端末３０２へ送信し、ＰＣ端末３０２は、表示部３４０及び操作部３３０のロックを行う（Ｓ４０）。
【００８０】
次に、第２制御部２１０は、第２ベース４００の第４受信部４３０が受信したＩＤ信号からＩＤコードを取得し、第２記憶部２２０に予め記憶されている登録ＩＤコードとの比較を行い、受信したＩＤコードが登録ＩＤコードと一致するか否かの判断を行う（Ｓ４１）。即ち、第２ベース４００の受信可能範囲５４０内に送信タグ１００が存在するか否かの判断を行う。
【００８１】
Ｓ４１において、受信したＩＤコードが登録ＩＤコードと一致しない場合には、第２制御部２１０は、所定の制御信号を第２Ｉ／Ｏ２５０を介してＰＣ端末３０２へ送信し、ＰＣ端末３０２の表示部３４０及び操作部３３０のロックを行う（Ｓ４２）。その後、第２制御部２１０は、所定時間（例えば、２秒）の計時を行い（Ｓ４７）、再度Ｓ４１の動作を行う。
【００８２】
Ｓ４１において、受信したＩＤコードが登録ＩＤコードと一致した場合には、次に、第２制御部２１０は、ベース２００の受信部２３０が、受信したＩＤ信号からＩＤコードを取得し、第２記憶部２２０に予め記憶されている登録ＩＤコードとの比較を行い、受信したＩＤコードが登録ＩＤコードと一致するか否かの判断を行う（Ｓ４３）。即ち、ベース２００の受信可能範囲５３０内に送信タグ１００が存在するか否かの判断を行う。
【００８３】
Ｓ４３において、受信したＩＤコードが登録ＩＤコードと一致しない場合には、第２制御部２１０は、所定の制御信号を第２Ｉ／Ｏ２５０を介してＰＣ端末３０２へ送信し、ＰＣ端末３０２の表示部３４０のロックを解除し（Ｓ４４）及び操作部３３０のロックを行う（Ｓ４５）。その後、第２制御部２１０は、所定時間（例えば、２秒）の計時を行い（Ｓ４７）、再度Ｓ４１の動作を行う。
【００８４】
Ｓ４３において、受信したＩＤコードが登録ＩＤコードと一致する場合には、第２制御部２１０は、所定の制御信号を第２Ｉ／Ｏ２５０を介してＰＣ端末３０２へ送信し、ＰＣ端末３０２の表示部３４０及び操作部３３０のロックを解除する（Ｓ４６）。その後、第２制御部２１０は、所定時間（例えば、２秒）の計時を行い（Ｓ４７）、再度Ｓ４１の動作を行う。
【００８５】
図２及び図１０に示す処理フローが実行されることによって、所定のＩＤコードを発信する送信タグ１００を携帯したユーザがベース２００の近傍（受信可能範囲内５３０）に存在する場合には、表示部３４０及び操作部３３０の両方のロックが解除され、ＰＣ端末３０２において通常の動作を行うことができるようになる。しかしながら、所定のＩＤコードを発信する送信タグ１００を携帯したユーザがＰＣ端末３０２から離れた第２ベース４００の近傍（受信可能範囲内５４０）に存在する場合には、表示部３４０のロックのみが解除され、ＰＣ端末３０２の表示部３４０の画面を視認することはできても操作部３３０を利用することができないことから、通常の作業をＰＣ端末３０２において行うことはできない。さらに、所定のＩＤコードを発信する送信タグ１００を携帯したユーザがベース２００及び第２ベース４００の受信範囲内に存在しない場合には、表示部３４０及び操作部３３０の両方がロックされ、ＰＣ端末３０２を全く利用することができない状態に維持される。
【００８６】
このように、本例では、距離に関連する情報として複数のベースにおける受信状態を利用して、送信タグ１００がベース２００の近傍にあるか否か、または、第２ベース４００の近傍にあるか否かに応じて、ＰＣ端末３０２において利用することができる機能を段階的に選択できるように構成している。即ち、所定のＩＤコードを発信する送信タグ１００がベース２００の近傍（例えば５０ｃｍ以内）に存在する場合には、所定の順位であるセキュリティの重要度が高い機能（例えば、操作部３３０の利用）の使用を許可し、所定のＩＤコードを発信する送信タグ１００が第２ベース４００の近傍に存在する場合には、セキュリティの重要度が低い機能（例えば、表示部３４０の利用）の使用を許可するように設定した。したがって、図１０に示すように、第２制御部２１０は、複数のベース（又はアンテナ）における受信状態に基づいてセキュリティの重要度の高い（ベース２００の近傍）、セキュリティの重要度が低い（第２ベース４００の近傍）の決定を行い、決定されたセキュリティの重要度に応じて、段階的にＰＣ端末３０２における機能の利用を許可するように、所定の制御信号をＰＣ端末３０２へ送信する。
【００８７】
なお、施錠システム３において、ベース２００をＰＣ端末３０２の一部として構成しても良い。
【００８８】
また、施錠システム３では、２つのベースを利用して、２段階のセキュリティの重要度を決定したが、さらに多くのベースを段階的に配置して、さらに他段階のセキュリティの重要度を設定することもできる。
【００８９】
さらに、施錠システム３では、第２ベース４００をＬＡＮケーブル５００を介してＰＣ端末３０２と接続したが、第２ベース４００を直接ベース２００と接続するように構成しても良い。また、第２ベースを受信アンテナ４９０のみの構成とすることもできる。また、施錠システム３では、第２ベース４００が受信したＩＤ信号をベース２００に送信し、第２ベース４００が、ＰＣ端末３０２に制御信号を出力するようにしたが、第２ベース４００が受信したＩＤ信号をベース２００には送信せずに、第２ベースが制御信号を出力するように構成することもできる。この場合は、ＰＣ端末３０２が、ベース２００と第２ベース４００とから送信される制御信号に基づいて、機能の制限及び制限の解除を行う。
【００９０】
また、第１〜第３の施錠システムにおいて、ベース２００、ベース２０２、ベース４００がＰＣ端末３００、ＰＣ端末３０２に対して所定時間毎に制御信号を送信するようにしたが、ＰＣ端末３００、ＰＣ端末３０２側が所定時間を計時して、所定時間経過する毎にベース２００、ベース２０２、ベース４００から制御信号を受信するようにしても良い。この場合、ベース２００、ベース２０２、ベース４００側では、常時、送信タグ１００、送信タグ１０２からのＩＤ信号を受信して、ＰＣ端末３００、ＰＣ端末３０２側からの要求に応じて、制御信号を出力できる状態にしておく。さらに、ベース２００、ベース２０２、ベース４００は、制御信号として、受信したＩＤコードと登録ＩＤコードとの一致、不一致だけを示す信号を出力し、その信号に応じてＰＣ端末３００、ＰＣ端末３０２が機能の制限及び制限の解除を行うようにしても良い。さらに、受信したＩＤコードと登録ＩＤコードとの一致、不一致の判断も、ＰＣ端末３００、ＰＣ端末３０２で行うこととし、ベース２００、ベース２０２、ベース４００はＩＤコードの受信だけを行うようにしても良い。
【００９１】
図１１に、本発明に係る更に他の施錠システム４の概略構成を示す。
【００９２】
施錠システム４は、識別情報送信機として機能する時計１０４及び携帯電話７００から構成される。さらに、携帯電話７００は、認証ブロック２０４及び電話機能ブロック６００から構成されている。施錠システム４では、例えば、左手に付けた時計１０４からＩＤコードを受信できる範囲内（例えば、５０ｃｍ以内）に携帯電話７００が位置する場合には、携帯電話７００の機能を全て利用することができるが、時計１０４から離れた場所では、携帯電話７００は限定された機能しか利用することができないように構成したものである。即ち、例えば、携帯電話７００を所有するユーザが他人に携帯電話を貸与した場合には、時計１０４から離れることとなるので、限定された機能（例えば通話機能）しか利用できないようにすることが可能となる。このように構成することによって、携帯電話７００がお財布機能やクレジット機能を有する場合でも、容易に所有者以外の者がセキュリティの重要度が高い機能を利用することをできなくするとことが可能となる。
【００９３】
時計１０４は、ＣＰＵ等を含んで構成される第１制御部１１０、予め定められたＩＤコードを記憶する第１記憶部１２０、所定の時間間隔（例えば、２秒間隔）でＩＤコードを送信する送信部１３０、送信用のアンテナ１９０、計時部１４０、計時部によって計時された時刻を表示するための第１表示部１５０等から構成される。また、時計１０４は金属又は革バンド等の腕に装着するための腕装着部を有している。
【００９４】
携帯電話７００の認証ブロック２０４は、ＣＰＵ等を含んで構成される第２制御部２１０、予め定められたＩＤコードを記憶する第２記憶部２２０、送信タグ１００からのＩＤコードを受信するためのアンテナ２９０及び受信部２３０、受信信号の電波強度を検出して検出信号を第２制御部２１０へ送信するための電波強度検出部２４０等から構成される。
【００９５】
携帯電話７００の電話機能ブロック６００は、ＣＰＵ等を含んで構成される第３制御部６１０、ＯＳ、各種アプリケーションソフトウエア、各種データ等を記憶するための第３記憶部６２０、テンキー及びファンクションキー等を含む操作部６３０、液晶ディスプレイ等によって構成される第２表示部６４０、音声信号やパケット信号等の送受信を行うための送受信部６７０、スピーカやマイク等を含む音声入出力部６８０等から構成される。
【００９６】
施錠システム４における時計１０４におけるＩＤコードを含んだ信号の処理フローは、図２に示した処理フローと同一であるので、ここではその説明を省略する。
【００９７】
図１２は、携帯電話７００の認証ブロック２０４における処理フローを示した図である。
【００９８】
図１２に示す処理フローが開始される時点で、電話機能ブロック６００には、認証ブロック２０４からの制御信号に応じて、電話機能ブロック６００の機能の制限及び制限の解除を行うためのアプリケーションソフトウエアが第３記憶部６２０に予めインストールされ且つ起動されているものとする。
【００９９】
最初に、認証ブロック２０４の第２制御部２１０は、所定の制御信号を電話機能ブロック６００へ送信し、電話機能ブロック６００の全機能のロックを行う（Ｓ５０）。
【０１００】
次に、第２制御部２１０は、受信部２３０が、受信したＩＤ信号からＩＤコードを取得し、第２記憶部２２０に予め記憶されている登録ＩＤコードとの比較を行い、受信したＩＤコードが登録ＩＤコードと一致するか否かの判断を行う（Ｓ５１）。
【０１０１】
Ｓ５１において、受信したＩＤコードが登録ＩＤコードと一致しない場合には、第２制御部２１０は、所定の制御信号を電話機能ブロック６００へ送信し、電話機能ブロック６００の全機能のロックを行う（Ｓ５２）。その後、第２制御部２１０は、所定時間（例えば、２秒）の計時を行い（Ｓ５７）、再度Ｓ５１の動作を行う。
【０１０２】
Ｓ５１において、受信したＩＤコードが登録ＩＤコードと一致する場合には、次に、第２制御部２１０は、受信信号の電波強度信号を電波強度検出部２４０から取得し、予め記憶部２２０に記憶されている所定閾値と比較して、閾値以上であるか否かの判断を行う（Ｓ５３）。
【０１０３】
Ｓ５３において、電波強度信号が閾値未満の場合（即ち、時計１０４と携帯電話７００とが十分に接近していない場合）には、第２制御部２１０は、所定の制御信号を電話機能ブロック６００へ送信し、電話機能ブロック６００の通話機能のロックを解除し（Ｓ５４）及び通話機能以外の機能のロックを行う（Ｓ５５）。その後、第２制御部２１０は、所定時間（例えば、２秒）の計時を行い（Ｓ５７）、再度Ｓ５１の動作を行う。
【０１０４】
Ｓ５３において、電波強度信号が閾値以上の場合（即ち、時計１０４と携帯電話７００とが十分に接近している場合）には、第２制御部２１０は、所定の制御信号を電話機能ブロック６００へ送信し、電話機能ブロック６００の全機能のロックを解除する（Ｓ５６）。その後、第２制御部２１０は、所定時間（例えば、２秒）の計時を行い（Ｓ５７）、再度Ｓ５１の動作を行う。
【０１０５】
図２及び図１２に示す処理フローが実行されることによって、所定のＩＤコードを発信する時計１０４を携帯したユーザが携帯電話７００を使用する場合には、携帯電話７００の全ての機能のロックが解除され、携帯電話７００において全ての機能を利用することができるようになる。しかしながら、所定のＩＤコードを発信する時計１０４と携帯電話７００との距離が所定の電波強度以下に離れると、携帯電話７００の通話機能のロックのみが解除され、限定された利用しかできなくなる。さらに、所定のＩＤコードを発信する時計１０４と携帯電話７００との距離が受信可能範囲外まで離れると、携帯電話７００の全ての機能が利用できない状態に維持される。
【０１０６】
このように、本例では、距離に関連する情報として電波強度信号を利用して、時計１０４が携帯電話７００の近傍にあるか否かに応じて、携帯電話７００において利用することができる機能を段階的に選択できるように構成している。即ち、所定のＩＤコードを発信する時計１０４が携帯電話７００の近傍（例えば５０ｃｍ以内）に存在する場合には、所定の順位であるセキュリティの重要度が高い機能（例えば、通話機能以外の機能）の使用を許可し、所定のＩＤコードを発信する時計１０４が携帯電話７００の受信範囲内には存在するが近傍には存在しない場合には、セキュリティの重要度が低い機能（例えば、通話機能）の使用を許可するように設定した。したがって、図１２に示すように、第２制御部２１０は、電波強度信号に基づいてセキュリティの重要度の高い（電波強度信号が閾値以上）、セキュリティの重要度が低い（電波強度信号が閾値未満）の決定を行い、決定されたセキュリティの重要度に応じて、段階的に携帯電話７００における機能の利用を許可するように、所定の制御信号を電話機能ブロック６００へ送信する。なお、本例では、携帯電話７００における通話機能とそれ以外の機能について、セキュリティの重要度を２段階で設定したが、他の機能、例えば、アドレス帳のリスト閲覧機能、通話履歴表示機能、現金決済情報の通信機能等について、それぞれセキュリティの重要度を設定し、距離関連情報に基づいて、段階的にロックの解除を行うように制御することもできる。また、本例では、識別情報送信機として時計１０４を用いたが、時計１０４の代わりに、施錠システム１で用いたバッチ型、首からぶら下げる名刺サイズのカードタイプのものなどを用いても良い。
【０１０７】
図５〜図７に示した本発明に係る施錠システム２においては、ベース２０２によるＩＤ受信中コードを送信せずに、送信タグ１０２が、一方的に、第１ＩＤコードと、第１ＩＤコードよりも送信電波強度が弱い第２ＩＤコードとを送信するようにしてもよい。この場合、ベース２０２は、第１ＩＤコードを受信すると、表示部３４０のロックを解除し、第２ＩＤコードを受信すると、表示部３４０と操作部３３０のロックを解除するようにすれば、段階的にＰＣ端末３００における機能の利用を許可するように構成することができる。
【０１０８】
また、図１〜図４に示した本発明に係る施錠システム１においては、段階的にＰＣ端末３００における機能の利用を許可するための所定の順位として、セキュリティの重要度を用いたが、ユーザーが所定の順位を設定できるようにしてもよい。例えば、ユーザーが、図３に示した「入力操作機能」に順位「１」を設定し、「スクリーンセイバー表示機能」に順位「２」を設定し、これらの設定をＰＣ端末３００の第３記憶部３２０に記憶させておく。そして、ベース２００により、登録ＩＤコードに一致する所定のＩＤコードを受信したときの電波受信強度が、閾値以上ではない場合には順位「２」に設定された「スクリーンセイバー表示機能」のロックを解除し、閾値以上の場合は順位「２」に設定された「スクリーンセイバー表示機能」及び順位「１」に設定された「入力操作機能」の両方を解除する。もちろん、順位「１」や「２」に限らず、所定の順位として、優先度「高」「低」を設定するようにしてもよい。このような所定の順位の設定機能は、ＰＣ端末３００の第２記憶部３２０にインストールされたアプリケーションソフトウエアが行うようにプログラムすることができる。このように構成することにより、ユーザーの使用目的に応じて、ＰＣ端末３００における機能の利用を段階的に許可することが出来る。施錠システム２〜４においても、同様にユーザーが所定の順位を設定できるようにしてもよい。
【０１０９】
図１〜図４における第１の実施の形態では、ベース２００が所定時間間隔でＩＤコードを受信するようにしたが、他の方法によりＩＤ信号を所定時間間隔で受信するように構成してもよい。例えば、ベース２００の受信部２３０は、常に受信動作を行っており、受信部２３０がＩＤ信号を受信する毎に、第２制御部２１０が、ＩＤコードを取得して第２記憶部２２０に予め記憶されている登録ＩＤと一致するか否かの判断を行うとともに、電波強度検出部２４０が、電波強度がしきい値以上か否かの判断を行う。そして、ＰＣ端末３００の第３制御部３１０が、図３におけるＳ１７の所定時間の経過を計時し、所定時間が経過する毎に、ＰＣ端末３００の第３Ｉ／Ｏが、ベース２００の第２Ｉ／Ｏから、ＩＤコードが一致しているか否かを示す信号を取得し（図のＳ１１に対応）、一致していることを示す信号の場合は、更に電波強度がしきい値以上か否かを示す信号も取得する（図３のＳ１３に対応）ようにしても良い。
【図面の簡単な説明】
【０１１０】
【図１】本発明に係る施錠システム１の概略構成を示す図である。
【図２】送信タグにおける処理フローを示した図である。
【図３】ベースにおける処理フローを示した図である。
【図４】ＰＣ端末の機能とそのセキュリティの重要度との対応関係を示した図である。
【図５】本発明に係る他の施錠システム２の概略構成を示した図である。
【図６】他の送信タグにおける処理フローを示した図である。
【図７】他のベースとＰＣ端末における処理フローを示した図である。
【図８】本発明に係る更に他の施錠システム３の概略構成を示した図である。
【図９】ベース、ＰＣ端末及び第２ベースの配置例を示す図である。
【図１０】施錠システム３のベースとＰＣ端末における処理フローを示した図である。
【図１１】本発明に係る更に他の施錠システム４の概略構成を示す図である。
【図１２】携帯電話の認証ブロックにおける処理フローを示した図である。
【符号の説明】
【０１１１】
１００、１０２    送信タグ
１０４    携帯電話
１３０    送信部
２００、２０２    ベース
２０４    認証ブロック
２１０    第２制御部
２２０    第２記憶部
２３０    受信部
２４０    電波強度検出部
３００、３０２    ＰＣ端末
４００    第２ベース
６００    電話機能ブロック
７００    携帯電話
【図１】
2007272362.tif 000003
【図２】
2007272362.tif 000004
【図３】
2007272362.tif 000005
【図４】
2007272362.tif 000006
【図５】
2007272362.tif 000007
【図６】
2007272362.tif 000008
【図７】
2007272362.tif 000009
【図８】
2007272362.tif 000010
【図９】
2007272362.tif 000011
【図１０】
2007272362.tif 000012
【図１１】
2007272362.tif 000013
【図１２】
2007272362.tif 000014